(57)【要約】【課題】携帯型電子機器用スタンドが使用されていないときに発生し得る不都合を低減する。【解決手段】携帯型電子機器用スタンドは、使用時に携帯型電子機器を保持する保持部を備えるホルダと、使用時にホルダに固定され、ホルダを支持する脚部と、を備える。収容時に、ホルダと脚部とのうちの一方は、外部と連通する開口を有する収容空間が形成された収容体の収容空間に収容される。収容時に、ホルダと脚部とのうちの他方は、ホルダと脚部とのうちの一方が収容空間内に収容された状態で、開口の少なくとも一部を覆うように、収容体に取り付けられる。【選択図】  図１
2017079394.tif 000002
【特許請求の範囲】
【請求項１】
保持部を備えるホルダと、前記ホルダを支持可能な脚部とを有し、前記ホルダ又は前記脚部が収容体に収容可能に形成された携帯型電子機器用スタンドであって、
前記収容体には、外部と連通する開口を有する収容空間が形成されており、
前記ホルダと前記脚部とのうち一方が前記収容空間内に収容されるときに、前記ホルダと前記脚部のうち他方が前記開口の少なくとも一部を覆うように前記収容体に取り付けられ、
前記保持部は、前記脚部が前記ホルダを支持した状態のときに、前記携帯型電子機器を保持する、携帯型電子機器用スタンド。
【請求項２】
請求項１に記載の携帯型電子機器用スタンドであって、
前記収容体の前記収容空間に収容されるのは前記脚部であり、
前記脚部が前記収容空間内に収容された状態で、前記開口の少なくとも一部を覆うように前記ホルダが前記収容体に取り付けられる、携帯型電子機器用スタンド。
【請求項３】
請求項２に記載の携帯型電子機器用スタンドであって、
前記保持部は、前記携帯型電子機器を挟持可能な可動部を備え、
前記ホルダは、前記可動部が前記収容体の前記開口の端部に沿って配置されるように移動して前記収容体に取り付けられる、携帯型電子機器用スタンド。
【請求項４】
請求項３に記載の携帯型電子機器用スタンドであって、
前記可動部は、外側部と内側部をそれぞれ備える一対の可動部材を有し、
前記一対の可動部材は、
それぞれの前記内側部の間隔が前記携帯型電子機器の対応する位置の幅と対応する間隔であり、かつ、それぞれの前記外側部の間隔が前記収容体の前記開口の対応する位置の幅より大きい間隔である第１の位置と、
それぞれの前記内側部の間隔が前記携帯型電子機器の対応する位置の幅より小さい間隔であり、かつ、それぞれの前記外側部の間隔が前記収容体の前記開口の対応する位置の幅と対応する間隔である第２の位置と、
の間で移動可能な携帯型電子機器用スタンド。
【請求項５】
請求項４に記載の携帯型電子機器用スタンドであって、
前記外側部が前記収容体の前記収容空間を形成する内面に当接することにより前記収容体に取り付けられる、携帯型電子機器用スタンド。
【請求項６】
請求項１から請求項５のいずれかに記載の携帯型電子機器用スタンドであって、
前記ホルダと前記脚部とは、前記脚部が前記ホルダを支持した状態とは異なる形態で、互いに固定されて前記収容体に収容される、携帯型電子機器用スタンド。
【請求項７】
請求項６に記載の携帯型電子機器用スタンドであって、
前記ホルダは、前記保持部が配置される第１面と、前記第１面とは反対側の第２面とを備え、
前記脚部は、底面と、前記底面とは反対側に位置する接続部とを備え、
前記収容体に収容されるときには、前記ホルダの前記第１面と前記脚部の前記底面とが固定され、
前記脚部が前記ホルダを支持するときには、前記第２面を前記接続部で固定する、
携帯型電子機器用スタンド。
【請求項８】
請求項７に記載の携帯型電子機器用スタンドであって、
前記保持部が前記脚部の前記底面側の部分を保持することにより、前記ホルダの前記第１面と前記脚部の前記底面とが固定されて前記収容体に収容される携帯型電子機器用スタンド。
【請求項９】
請求項１から８のいずれかに記載の携帯型電子機器用スタンドであって、さらに、
携帯可能な前記収容体を備える、携帯型電子機器用スタンド。
【請求項１０】
請求項９に記載の携帯型電子機器用スタンドであって、さらに、
前記収容体の前記収容空間を複数個の収容部に区分する仕切り部材と、
前記仕切り部材を保持する保持機構と、
を備え、
前記保持機構は、前記ホルダ又は前記脚部が前記収容空間内に収容されているときには、収容されていないときよりも前記開口に近い位置に前記仕切り部材を保持する、携帯型電子機器用スタンド。
【発明の詳細な説明】
【技術分野】
【０００１】
本明細書は、スマートフォンなどの携帯型電子機器を支持する携帯型電子機器用スタンドに関する。
【背景技術】
【０００２】
特許文献１には、携帯型電子機器の音声出力を行う外付スピーカ機能と、携帯型電子機器に充電を行う充電機能とを備え、飲料缶の上面部に装着し、飲料缶にスマートフォン等の携帯型電子機器を支持させることを可能とするスタンドが開示されている。このスタンドの天板と飲料缶の天面との間に、物品を収容できる。
【先行技術文献】
【特許文献】
【０００３】
【特許文献１】特開２０１４−２０９７０４号公報
【発明の概要】
【発明が解決しようとする課題】
【０００４】
しかしながら、この携帯型電子機器用スタンドは、スタンドとして使用されていないときに、どのように収容されるかについて十分な工夫がなされているとは言えなかった。このために、スタンドとして使用されていないときには、不都合が発生する可能性があった。例えば、スタンドとして使用されていないときには、見栄えが良くない場合や、持ち運びが不便である場合があった。
【０００５】
本明細書は、スタンドとして使用されていないときに発生し得る不都合を低減できる携帯型電子機器用スタンドを開示する。
【課題を解決するための手段】
【０００６】
本明細書に開示された技術は、以下の適用例として実現することが可能である。
【０００７】
［適用例１］保持部を備えるホルダと、前記ホルダを支持可能な脚部とを有し、前記ホルダ又は前記脚部が収容体に収容可能に形成された携帯型電子機器用スタンドであって、
前記収容体には、外部と連通する開口を有する収容空間が形成されており、
前記ホルダと前記脚部とのうち一方が前記収容空間内に収容されるときに、前記ホルダと前記脚部のうち他方が前記開口の少なくとも一部を覆うように前記収容体に取り付けられ、
前記保持部は、前記脚部が前記ホルダを支持した状態のときに、前記携帯型電子機器を保持する、携帯型電子機器用スタンド。
【０００８】
上記構成によれば、ホルダと脚部とのうちの一方が、収容体の収容空間に収容されるときに、他方は、収容体の開口の少なくとも一部を覆うように、収容体に取り付けられる。したがって、スタンドとして使用されていないときに発生し得る不都合を低減できる。
【０００９】
［適用例２］適用例１に記載の携帯型電子機器用スタンドであって、
前記収容体の前記収容空間に収容されるのは前記脚部であり、
前記脚部が前記収容空間内に収容された状態で、前記開口の少なくとも一部を覆うように前記ホルダが前記収容体に取り付けられる、携帯型電子機器用スタンド。
【００１０】
上記構成によれば、ホルダで開口の少なくとも一部を覆うようにすることで、収容体に携帯型電子機器用スタンドを適切に収容することができる。
【００１１】
［適用例３］適用例２に記載の携帯型電子機器用スタンドであって、
前記保持部は、前記携帯型電子機器を挟持可能な可動部を備え、
前記ホルダは、前記可動部が前記収容体の前記開口の端部に沿って配置されるように移動して前記収容体に取り付けられる、携帯型電子機器用スタンド。
【００１２】
上記構成によれば、ホルダは、携帯型電子機器を好適に保持できるとともに、収容体の開口の少なくとも一部を覆うように、収容体に好適に取り付けられる。
【００１３】
［適用例４］適用例３に記載の携帯型電子機器用スタンドであって、
前記可動部は、外側部と内側部をそれぞれ備える一対の可動部材を有し、
前記一対の可動部材は、
それぞれの前記内側部の間隔が前記携帯型電子機器の対応する位置の幅と対応する間隔であり、かつ、それぞれの前記外側部の間隔が前記収容体の前記開口の対応する位置の幅より大きい間隔である第１の位置と、
それぞれの前記内側部の間隔が前記携帯型電子機器の対応する位置の幅より小さい間隔であり、かつ、それぞれの前記外側部の間隔が前記収容体の前記開口の対応する位置の幅と対応する間隔である第２の位置と、
の間で移動可能な携帯型電子機器用スタンド。
【００１４】
上記構成によれば、ホルダの一対の保持部は、前記携帯型電子機器を保持するときには、携帯型電子機器の対応する位置を挟持できるとともに、脚部が収容空間内に収容されるときには、収容体の開口に取り付けることができる。この結果、ホルダは、携帯型電子機器をより好適に保持できるとともに、収容体の開口の少なくとも一部を覆うように、より好適に取り付けられる。
【００１５】
［適用例５］適用例４に記載の携帯型電子機器用スタンドであって、
前記外側部が前記収容体の前記収容空間を形成する内面に当接することにより前記収容体に取り付けられる、携帯型電子機器用スタンド。
【００１６】
上記構成によれば、脚部が収容空間内に収容されるときには、ホルダは、収容体の開口の少なくとも一部を覆うように、簡単に固定されることができる。
【００１７】
［適用例６］適用例１から適用例５のいずれかに記載の携帯型電子機器用スタンドであって、
前記ホルダと前記脚部とは、前記脚部が前記ホルダを支持した状態とは異なる形態で、互いに固定されて前記収容体に収容される、携帯型電子機器用スタンド。
【００１８】
上記構成によれば、脚部が収容空間内に収容されるときには、ホルダと脚部とが、脚部がホルダを支持した状態とは異なる形態で固定されることで、携帯型電子機器用スタンドを収容体に適切に（例えば、よりコンパクトに）収容し得る。
【００１９】
［適用例７］適用例６に記載の携帯型電子機器用スタンドであって、
前記ホルダは、前記保持部が配置される第１面と、前記第１面とは反対側の第２面とを備え、
前記脚部は、底面と、前記底面とは反対側に位置する接続部とを備え、
前記収容体に収容されるときには、前記ホルダの前記第１面と前記脚部の前記底面とが固定され、
前記脚部が前記ホルダを支持するときには、前記第２面を前記接続部で固定する、
携帯型電子機器用スタンド。
【００２０】
上記構成によれば、脚部が収容空間内に収容されるときには、ホルダの携帯型電子機器を保持する側と、脚部の底面側と、が固定されることで、携帯型電子機器用スタンドを収容体に適切に収容し得る。
【００２１】
［適用例８］適用例７に記載の携帯型電子機器用スタンドであって、
前記保持部が前記脚部の前記底面側の部分を保持することにより、前記ホルダの前記第１面と前記脚部の前記底面とが固定されて前記収容体に収容される携帯型電子機器用スタンド。
【００２２】
上記構成によれば、保持部によって、携帯型電子機器を適切に保持できるとともに、脚部が収容空間内に収容されるときには、ホルダと脚部とを適切に固定することができる。
【００２３】
［適用例９］適用例１から８のいずれかに記載の携帯型電子機器用スタンドであって、さらに、
携帯可能な前記収容体を備える、携帯型電子機器用スタンド。
【００２４】
上記構成によれば、ユーザは、収容体ごと携帯型電子機器用スタンドを持ち運べるので便利である。
【００２５】
［適用例１０］適用例９に記載の携帯型電子機器用スタンドであって、さらに、
前記収容体の前記収容空間を複数個の収容部に区分する仕切り部材と、
前記仕切り部材を保持する保持機構と、
を備え、
前記保持機構は、前記ホルダ又は前記脚部が前記収容空間内に収容されているときには、収容されていないときよりも前記開口に近い位置に前記仕切り部材を保持する、携帯型電子機器用スタンド。
【００２６】
上記構成によれば、前記ホルダ又は前記脚部が前記収容空間内に収容されているときには、複数個の収容部を、収容体の開口に比較的近い位置に保持できるので、収容部への物の出し入れがしやすくなる。
【図面の簡単な説明】
【００２７】
【図１】一実施例のとしてスタンドユニット１０００の斜視図。
【図２】スタンド本体１００の斜視図。
【図３】ホルダ２００の説明図。
【図４】脚部３００とホルダ２００の側面図。
【図５】使用時の状態のスタンド本体１００を示す図。
【図６】仕切り部材４００の斜視図。
【図７】収容体５００と収容体５００内での仕切り部材４００の状態について説明する図。
【図８】スタンド本体１００（ホルダ２００）の電気的構成を示すブロック図。
【００２８】
Ａ．実施例：
Ａ−１：スタンドユニット１０００の概略構成：
図１は、携帯型電子機器用スタンドの一実施例としてのスタンドユニット１０００の斜視図である。図１（ａ）は、収容時のスタンドユニット１０００の外観を示し、図１（ｂ）は、スタンドユニット１０００の分解図を示す。収容時の状態では、スタンドユニット１０００の外観は、略円柱形状を有している。スタンドユニット１０００の略円柱形状の軸線ＣＬ１と平行な方向、すなわち、図１の上下方向を軸線方向と呼ぶ。軸線方向と平行な方向のうち、図１の下方向を第１方向Ｄ１と呼び、図１の上方向を第２方向Ｄ２と呼ぶ。軸線方向と垂直な面上の円の周方向を、単に、周方向と呼び、当該円の径方向を、単に、径方向と呼ぶ。
【００２９】
スタンドユニット１０００は、スタンド本体１００と、仕切り部材４００と、収容体５００と、を備えている。収容体５００は、第１方向Ｄ１の端に位置する底板５３０と、第２方向Ｄ２の端に位置する開口ＯＰ１が形成された開口端５１５と、を有し、内部に収容空間ＲＭを有している（詳細は後述する）。スタンド本体１００は、ホルダ２００と、脚部３００と、を備えている。収容時の状態では、仕切り部材４００が、収容体５００の収容空間ＲＭに収容され、スタンド本体１００が、脚部３００が第１方向Ｄ１を向き、ホルダ２００が第２方向Ｄ２を向いた状態で、収容体５００の開口端５１５に取り付けられている。この結果、スタンド本体１００のうちの脚部３００が収容体５００の収容空間内に収容された状態で、スタンド本体１００のうちのホルダ２００が、開口ＯＰ１を覆うように、蓋として収容体５００に取り付けられる。仕切り部材４００と収容体５００の構成については、後述する。先ず、スタンド本体１００の構成の詳細を説明する。
【００３０】
Ａ−２.  スタンド本体１００の構成
図２は、スタンド本体１００の斜視図である。図２（ａ）は、ホルダ２００と脚部３００とが、収容体５００に収容するために結合された状態を示す。図２（ｂ）は、ホルダ２００と脚部３００とが、分離された状態を示す。
【００３１】
ホルダ２００は、ホルダ本体２５０と、３個の保持部２１０、２２０、２３０と、２個のスライド板２６０、２７０と、を備えている。ホルダ本体２５０は、第１面２５１と、第２面２５２と、軸線方向に対して傾斜した側面２５３と、を備える略円錐台形状を有している。第１面２５１は、軸線方向と垂直であり、ホルダ本体２５０の第１方向Ｄ１を向いた面である。第２面２５２は、軸線方向と垂直であり、ホルダ本体２５０の第２方向Ｄ２を向いた面である。ホルダ本体２５０は、第２方向Ｄ２側から第１方向Ｄ１に向かって縮径しており、第１面２５１の外径は、第２面２５２の外径より小さい。第１面２５１の外形の直径は、収容体５００の外形の直径と、ほぼ等しい。ホルダ本体２５０は、内部に配置された図示しない基板を備えており、スマートフォンＳＦを充電するための機能などを実現する。側面２５３に配置されたＵＳＢコネクタ２９５は、これらの機能のために用いられる。これらの機能については後述する。ホルダ本体２５０は、基板やコネクタ類を除いて、例えば、樹脂によって形成されている。
【００３２】
図２に加えて、図３を参照しながら、ホルダ２００の構成について、さらに、説明する。図３は、ホルダ２００の説明図である。図３（ａ）に示すように、３個の保持部２１０、２２０、２３０は、円形の第１面２５１の外縁部に沿って、第１面２５１の中心ＣＰから見て、それぞれ異なる３個の径方向に配置されている。具体的には、第１の保持部２１０は、第１面２５１の中心ＣＰから見て、第１径方向Ｄｒ１に位置している。第２の保持部２２０は、第１面２５１の中心ＣＰから見て、第１径方向Ｄｒ１とは反対の第２径方向Ｄｒ２に位置している。第３の保持部２３０は、第１面２５１の中心ＣＰから見て、第１径方向Ｄｒ１および第２径方向Ｄｒ２と垂直な第３径方向Ｄｒ３に位置している。
【００３３】
３個の保持部２１０、２２０、２３０は、第１面２５１から第１方向Ｄ１に突出している。３個の保持部２１０、２２０、２３０は、それぞれ、内側面２１２、２２２、２３２と、外側面２１３、２２３、２３３と、第１方向Ｄ１を向いた面２１４、２２４、２３４と、を備えている。内側面２１２、２２２、２３２は、第１面２５１の中心ＣＰ側、すなわち、径方向の内側を向き、かつ、軸線方向（すなわち、第１方向Ｄ１および第２方向Ｄ２）と平行である。外側面２１３、２２３、２３３は、第１面２５１の中心ＣＰとは反対側、すなわち、径方向の外側を向き、かつ、軸線方向と平行である。
【００３４】
第１の保持部２１０の内側面２１２、および、第２の保持部２２０の内側面２２２は、第１径方向Ｄｒ１および第２径方向Ｄｒ２と垂直な平面をそれぞれ含み、これらの平面は互いに対向している。第３の保持部２３０の内側面２３２は、第３径方向Ｄｒ３と垂直な部分を含んでいる。外側面２１３、２２３、２３３は、円形の第１面２５１の外縁に沿って曲がる曲面である。
【００３５】
第１の保持部２１０は、第１のスライド板２６０の第１方向Ｄ１を向いた面の第１径方向Ｄｒ１の端に位置しており、第１のスライド板２６０と一体成形されている。第１のスライド板２６０は、第１面２５１上に形成された凹部２５６（図３（ｂ））に、配置されている。第１のスライド板２６０は、凹部２５６に沿うように、第１径方向Ｄｒ１方向、および、第２径方向Ｄｒ２に、ユーザが手動で往復動可能であり、かつ、軸線方向には移動できないように取り付けられている。
【００３６】
第２の保持部２２０は、第２のスライド板２７０の第１方向Ｄ１の面の第２径方向Ｄｒ２の端に位置しており、第２のスライド板２７０と一体成形されている。第２のスライド板２７０は、第１面２５１上に形成された凹部２５７（図３（ｂ））に、配置されている。第２のスライド板２７０は、第１のスライド板２６０と同様に、凹部２５７に沿うように、第１径方向Ｄｒ１方向、および、第２径方向Ｄｒ２に、ユーザが手動で往復動可能であり、かつ、軸線方向には移動できないように取り付けられている。
【００３７】
この結果、ユーザが、保持部２１０、２２０を手で掴んで移動させることによって、保持部２１０、２２０は、それぞれ、スライド板２６０、２７０とともに、第１径方向Ｄｒ１方向、および、第２径方向Ｄｒ２に、往復動可能である。図３（ａ）の状態は、収容時の状態を示している。この状態では、第１の保持部２１０は、往復動可能な範囲のうち、最も第２径方向Ｄｒ２に寄った位置にあり、第２の保持部２２０は、往復動可能な範囲のうち、最も第１径方向Ｄｒ１に寄った位置にある。図３（ｂ）の状態は、詳細は後述する使用時の状態を示している。この状態では、第１の保持部２１０は、図３（ａ）の状態より第１径方向Ｄｒ１側に位置している。第２の保持部２２０は、図３（ａ）の状態より第２径方向Ｄｒ２側に位置している。
【００３８】
第１のスライド板２６０を、凹部２５６に取り付ける構成を説明する。図３（ｃ）には、図３（ｂ）のＡ−Ａ部分を、軸線方向と平行な面で切断した断面の概略が示されている。スライド板２６０の第２方向Ｄ２の面には、第１径方向Ｄｒ１と垂直な断面が台形の凸部２６１、２６２が形成されている。凸部２６１、２６２は、第１径方向Ｄｒ１に向かって延びている。凹部２５６には、第１径方向Ｄｒ１と垂直な断面が凸部２６１、２６２に対応した台形である溝部２５６ａ、２５６ｂが形成されている。溝部２５６ａ、２５６ｂは、凸部２６１、２６２に対応した位置において、第１径方向Ｄｒ１に延びている。第１のスライド板２６０は、溝部２５６ａ、２５６ｂが、凸部２６１、２６２と、嵌合するように取り付けられている。第２のスライド板２７０は、図示は省略するが、同様の構成によって、凹部２５７に取り付けられる。スライド板２６０、２７０を、凹部２５６、２５７に取り付ける構成は、第１径方向Ｄｒ１方向、および、第２径方向Ｄｒ２に、往復動可能な公知の様々な構成が採用可能である。例えば、図３（ｃ）の例とは、逆に、スライド板２６０に第１径方向Ｄｒ１方向に延びる溝部が形成され、凹部２５６に第１径方向Ｄｒ１方向に延びる凸部が形成されていても良い。
【００３９】
第１のスライド板２６０および凹部２５６と、第２のスライド板２７０および凹部２５７とは、第１面２５１の中心ＣＰを通り、第３径方向Ｄｒ３および軸線方向と平行な面に対して面対称に構成されている。
【００４０】
図３（ｄ）には、ホルダ２００の第２面２５２側の構成を示す斜視図である。第２面２５２には、後述する使用時の状態において、脚部３００をホルダ２００に対して結合し、固定するための凹部２５５を備えている。この凹部２５５は、本実施例では、略直方体の有底孔が形成された部分である。この凹部２５５には、使用時の状態において、後述する脚部３００の結合端部３１０が結合される。
【００４１】
図２に加えて、図４を参照して、脚部３００について説明する。図４は、脚部３００とホルダ２００の側面図である。脚部３００は、台座３５０と、アーム３２０と、結合端部３１０と、吸盤３６０と、を備えている。脚部３００は、例えば、樹脂によって形成されている。台座３５０は、ドーム形状を有している。台座３５０は、使用時の状態で、図２（ｂ）の第２方向Ｄ２を向いた面を下側にして配置されるので、台座３５０の図２（ｂ）の第２方向Ｄ２を向いた面を底面３５２と呼び、第１方向Ｄ１の曲面を上面３５１と呼ぶ。
【００４２】
上面３５１の頂上部分には、アーム３２０の下端が接続されている。アーム３２０は、図４にアーム３２０の軸線ＣＬ２を示すように、上面３５１の頂上部に接続された下端から斜め上方（図４の右斜め上方）に延び、略９０度に折れ曲がって、さらに、斜め上方（図４の左斜め上方）に延びて上端に至る。アーム３２０の上端には、結合端部３１０が形成されている。結合端部３１０は、互いに平行な２枚の板部３１１、３１２と、２枚の板部３１１、３１２の間に位置し、２枚の板部３１１、３１２を接続する接続部３１３と、を備えている。第１の板部３１１は、ホルダ本体２５０の第２面２５２に形成された凹部２５５の開口より僅かに小さな矩形を有しており、凹部２５５内に挿入可能である。第２の板部３１２は、第１の板部３１１、および、凹部２５５の開口より大きな矩形を有している。
【００４３】
吸盤３６０は、台座３５０の底面３５２に固定されている。吸盤３６０は、使用時の状態において、スタンド本体１００の設置場所に吸着して、スタンド本体１００を設置場所に固定するために用いられる。
【００４４】
図２（ａ）、（ｂ）に示すように、収容時の状態では、台座３５０の底面３５２側の部分が、３個の保持部２１０、２２０、２３０によって、保持される。具体的には、収容時の状態では、ホルダ本体２５０の第１面２５１に、台座３５０の底面３５２に固定された吸盤３６０が当接するように、台座３５０が配置される。そして、台座３５０の上面３５１の底面３５２近傍の部分が、第１の保持部２１０の内側面２１２と、第２の保持部２２０の内側面２２２と、によって挟持される。さらに、台座３５０の上面３５１の底面３５２近傍の部分が、第３の保持部２３０の内側面２３２に当接して、内側面２３２によって支持される。
【００４５】
収容時の状態では、図３（ａ）を参照して上述したように、第１の保持部２１０は、往復動可能な範囲のうち、最も第２径方向Ｄｒ２に寄った位置にあり、第２の保持部２２０は、往復動可能な範囲のうち、最も第１径方向Ｄｒ１に寄った位置にある。この状態における第１の保持部２１０の内側面２１２と、第２の保持部２２０の内側面２２２と、の間隔をＬ２とする（図３（ａ））。台座３５０の底面３５２近傍の内側面２１２、２２２によって挟持される位置の幅、本実施例では、底面３５２の径は、間隔Ｌ２と等しい。これによって、収容時の状態において、台座３５０の底面３５２側の部分は、内側面２１２、２２２によって適切に保持される。また、間隔Ｌ２は、後述するスマートフォンＳＦの幅Ｌ５（図５（ｂ））より小さい。
【００４６】
以上の説明から解るように、収容時の状態では、ホルダ２００の第１面２５１側（すなわち、３個の保持部２１０、２２０、２３０が配置された側）と、脚部３００の台座３５０側（すなわち、脚部３００の底面（台座３５０の底面３５２）側）と、が固定される。
【００４７】
使用時の状態では、図４に矢印で示すように、結合端部３１０の第１の板部３１１と接続部３１３とが、凹部２５５に挿入される。この状態では、第１の板部３１１が、凹部２５５の底面２５５ｓに当接し、第２の板部３１２の外縁部分がホルダ本体２５０の第２面２５２に当接する。このように、使用時の状態では、ホルダ２００の第２面２５２側（すなわち、３個の保持部２１０、２２０、２３０が配置された側とは反対側）と、脚部３００のアーム３２０側（すなわち、脚部３００の底面側３５２とは反対側）と、が固定される。この結果、使用時の状態で、ホルダ２００は、脚部３００の上方に、脚部３００によって支持される。
【００４８】
図５を参照して、さらに、使用時の状態について説明する。図５は、使用時の状態のスタンド本体１００を示す図である。図５（ａ）は、スマートフォンＳＦを保持していない状態を示し、図５（ｂ）は、スマートフォンＳＦを保持している状態を示す。使用時の状態では、図３（ｂ）を参照して上述したように、第１の保持部２１０は、収容時の状態より第１径方向Ｄｒ１に寄った位置にあり、第２の保持部２２０は、収容時の状態より第２径方向Ｄｒ２に寄った位置にある。この結果、使用時の状態では、状態における第１の保持部２１０の内側面２１２と、第２の保持部２２０の内側面２２２と、の間隔Ｌ３が、収容時の状態における間隔Ｌ２（図３（ａ））より広い。間隔Ｌ３は、２個の保持部２１０、２２０の位置を可動範囲内で調整することによって、ユーザのスマートフォンＳＦの対応する位置の幅、本実施例では、図５に示すように、略矩形の板状のスマートフォンＳＦの短手方向の幅Ｌ５と、ほぼ等しくすることができる。この結果、使用時の状態では、ホルダ２００の３個の保持部２１０、２２０、２３０によって、スマートフォンＳＦがホルダ本体２５０の第１面２５１側に保持される。
【００４９】
具体的には、使用時の状態では、ホルダ本体２５０の第１面２５１に、スマートフォンＳＦの裏面が当接するように、スマートフォンＳＦが配置される。そして、スマートフォンＳＦの図５（ｂ）の左右の側面が、第１の保持部２１０の内側面２１２と、第２の保持部２２０の内側面２２２と、によって挟持される。さらに、スマートフォンＳＦの図５（ｂ）の下方の側面が、第３の保持部２３０の内側面２３２に当接して、内側面２３２によって支持される。
【００５０】
また、使用時の状態では、第１の保持部２１０の外側面２１３と、第２の保持部２２０の外側面２２３と、の間隔Ｌ４は、収容体５００の開口ＯＰ１の対応する位置の幅（本実施例では、図７の開口ＯＰ１の内径Ｒ３）より大きい。
【００５１】
Ａ−２.  収容体５００と仕切り部材４００との構成
図６は、仕切り部材４００の斜視図である。図６（ａ）、（ｂ）に示すように、仕切り部材４００は、半円筒部４１０と、底板４２０と、皿部４３０と、を備えている。仕切り部材４００の全体（半円筒部４１０、底板４２０、皿部４３０）は、例えば、樹脂によって一体成形されている。
【００５２】
半円筒部４１０は、軸線方向（第１方向Ｄ１および第２方向Ｄ２と平行な方向）に延びる半円筒形状を有する。なお、半円筒部４１０は、内部に後述する空間ＴＲを有しない半円柱部であっても良い。半円筒部４１０は、軸線方向と平行で、軸線方向と垂直な断面が半円弧形状を有する第１側壁４１１と、軸線方向と平行な平板状の第２側壁４１２と、を備えている。第２側壁４１２は、カード収容部４１３を有している。カード収容部４１３は、第２側壁４１２の第２方向Ｄ２側に位置する細長い開口４１３ａを有する空間が形成された部分であり、内部に、カード（例えば、クレジットカードやＥＴＣカード）を収容することができる。
【００５３】
底板４２０は、軸線方向と垂直な略円形の板部材である。底板４２０の略半分の第１部分４２１と、残りの略半分の第２部分４２２と、を備えている。底板４２０の第１部分４２１は、半円筒部４１０の第１方向Ｄ１の端を覆っている。この結果、仕切り部材４００には、半円筒部４１０の内側面と、底板４２０の第１部分４２１の第２方向Ｄ２を向いた面と、によって形成され、第２方向Ｄ２に開口ＯＰ２を有する半円柱形状の空間ＴＲが形成されている。この空間ＴＲは、小物入れやゴミ入れとして用いられる。底板４２０の第２部分４２２の外縁部には、略円形の底板４２０の中心に向かって凹んだ半円形状の切り欠き４２３が形成されている。
【００５４】
皿部４３０は、軸線方向と垂直な略半円形状を有する板状の部材である。皿部４３０の半円弧状の外縁と、半円筒部４１０の第１側壁４１１の第２方向Ｄ２の端の半円弧状の部分と、によって、全体として１個の略円形が形成されている。皿部４３０の第２方向Ｄ２を向いた面に形成された凹部４３１を有している。皿部４３０は、例えば、硬貨を載せておく小銭入れとして機能する。皿部４３０の側面には、半円筒部４１０に向かって凹んだ半円形状の切り欠き４３３が形成されている。
【００５５】
皿部４３０の切り欠き４３３と、底板４２０の第２部分４２２の切り欠き４２３とは、底板４２０の中心を通る軸線から見た周方向の位置がほぼ同じである。また、皿部４３０の切り欠き４３３から、底板４２０の第２部分４２２の切り欠き４２３に向かって見て、切り欠き４３３と切り欠き４２３とは、形状（略半円形状）およびサイズが、ほぼ同じである。したがって、皿部４３０の切り欠き４３３から、底板４２０の第２部分４２２の切り欠き４２３に向かって見て、切り欠き４３３と切り欠き４２３とは、互いに重なる。
【００５６】
また、略円形の底板４２０の外径Ｒ１（図６（ｂ））と、皿部４３０の半円弧状の外縁と、半円筒部４１０の第１側壁４１１の第２方向Ｄ２の端の半円弧状の部分と、によって形成される略円形の外径Ｒ２（図６（ｂ））とはほぼ等しい。さらに、収容体５００に収容できるように、これらの外径Ｒ１、Ｒ２は、後述する収容体５００の内径Ｒ３（図７）より小さい。
【００５７】
次に、収容体５００について説明する。図７は、収容体５００と、収容体５００内での仕切り部材４００の状態について説明する図である。図７（ａ）に示すように、収容体５００は、飲料の缶と同程度のサイズの中空の略円筒形状を有している。このために、収容体５００や、収容時の状態のスタンドユニット１０００（図１（ａ））は、容易に携帯可能である。収容体５００は、側壁５１０と、側壁５１０の内周面に形成された半円柱部５２０と、側壁５１０の第１方向Ｄ１の端を覆う底板５３０と、を備えている。
【００５８】
半円柱部５２０は、側壁５１０の内周面から、収容体５００の略円筒形状の軸線の方向に向かって、すなわち、径方向内側に向かって突出している。半円柱部５２０は、軸線方向と垂直な断面が略半円で、軸線方向に延びる略半円柱形状を有している。半円柱部５２０の第２方向Ｄ２を向いた面５２１は、収容体５００の軸線方向の中央より第１方向Ｄ１側に位置し、半円柱部５２０の第１方向Ｄ１の端は、底板５３０に接続している。半円柱部５２０の軸線方向の長さ、すなわち、底板５３０の第２方向Ｄ２を向いた面から、半円柱部５２０の第２方向Ｄ２を向いた面（以下、支持面５２１とも呼ぶ）までの長さを、Ｌ６とする。
【００５９】
収容体５００の全体（側壁５１０、半円柱部５２０、底板５３０）は、例えば、樹脂によって一体成形されている。
【００６０】
収容体５００の内部には、第２方向Ｄ２の端に開口ＯＰ１を有する収容空間ＲＭが形成されている。開口ＯＰ１は、外部と収容空間ＲＭとを連通する。収容空間ＲＭは、側壁５１０と、底板５３０と、半円柱部５２０と、によって、形成される空間である。収容体５００の開口ＯＰ１が形成された端部５１５（すなわち、側壁５１０の第２方向Ｄ２の端部）を開口端５１５と呼ぶ。
【００６１】
上述した仕切り部材４００は、収容体５００の収容空間ＲＭに配置される。仕切り部材４００は、収容空間ＲＭを複数個の収容部（具体的には、カード収容部４１３と、小物入れとして用いられる空間ＴＲと、小銭入れとして用いられる凹部２５５）に区分する部材である、と言うことができる。
【００６２】
次に、収容体５００の収容空間ＲＭ内における仕切り部材４００の状態について説明する。仕切り部材４００は、収容空間ＲＭ内において、図７（ｂ）に示す上側の位置と、図７（ｃ）に示す下側の位置と、の２つの軸線方向の位置に保持される。図７（ｂ）の上側の位置は、仕切り部材４００の底板４２０と、半円柱部５２０の支持面５２１と、が当接する位置である。図７（ｃ）の下側の位置は、仕切り部材４００の底板４２０と、収容体５００の底板５３０と、が当接する位置である。図７（ｂ）の上側の位置は、図７（ｃ）の下側の位置より、半円柱部５２０の軸線方向の長さＬ６分だけ、第２方向Ｄ２側の位置である。すなわち、図７（ｂ）の上側の位置は、図７（ｃ）の下側の位置より、長さＬ６分だけ開口ＯＰ１に近い位置である。
【００６３】
仕切り部材４００の底板４２０に形成された切り欠き４２３の周方向の位置と、収容体５００の側壁５１０の内周面に形成された半円柱部５２０の周方向の位置と、が一致するように、仕切り部材４００が収容空間ＲＭに収容されると、半円柱部５２０の支持面５２１は、仕切り部材４００の底板４２０と接触しない。この場合には、仕切り部材４００は、図７（ｃ）に示す下側の位置に、保持される。
【００６４】
仕切り部材４００の底板４２０に形成された切り欠き４２３の周方向の位置と、収容体５００の側壁５１０の内周面に形成された半円柱部５２０の周方向の位置と、がずれて、一致しないように、仕切り部材４００が収容空間ＲＭに収容されると、半円柱部５２０の支持面５２１は、仕切り部材４００の底板４２０と当接する。この場合には、仕切り部材４００は、図７（ｂ）に示す上側の位置に、保持される。
【００６５】
ユーザは、収容体５００に対して、仕切り部材４００を周方向に回転させることによって、仕切り部材４００が保持される位置を、上述した上側の位置と下側の位置とのいずれかに、容易に切り替えることができる。また、皿部４３０の切り欠き４３３の周方向の位置は、底板４２０の切り欠き４２３の周方向の位置と、一致している。このために、ユーザは、収容体５００の収容空間ＲＭに仕切り部材４００が収容された状態でも、底板４２０の切り欠き４２３の周方向の位置を容易に把握することができる。
【００６６】
以上の説明から解るように、収容体５００の半円柱部５２０と、仕切り部材４００の底板４２０の切り欠き４２３と、は、収容体５００に対して仕切り部材４００を２種類の位置で保持することができる保持機構である、と言うことができる。
【００６７】
使用時の状態では、仕切り部材４００は、図７（ｂ）の上側の位置に保持される。この結果、収容体５００の収容空間ＲＭ内において、仕切り部材４００は、比較的、開口ＯＰ１の近くに位置するので、収容空間ＲＭを、上述した小銭入れ、小物入れ、カード収容部として利用する利便性が向上する。
【００６８】
収容時の状態では、仕切り部材４００は、図７（ｃ）の下側の位置に保持される。この結果、収容体５００の収容空間ＲＭ内において、仕切り部材４００より第２方向Ｄ２側に、収容時の状態のスタンド本体１００（図２（ａ））における脚部３００を収容する部分を確保することができる。この結果、収容時の状態では、収容体５００に仕切り部材４００を収容しつつ、スタンド本体１００のホルダ２００を、収容体５００の開口ＯＰ１を覆う蓋として、好適に取り付けることができる。
【００６９】
なお、収容時の状態のスタンド本体１００において、図３（ａ）を参照して上述したように、ホルダ２００の第１の保持部２１０は、往復動可能な範囲のうち、最も第２径方向Ｄｒ２に寄った位置にあり、第２の保持部２２０は、往復動可能な範囲のうち、最も第１径方向Ｄｒ１に寄った位置にある。この状態における第１の保持部２１０の外側面２１３と、第２の保持部２２０の外側面２２３と、の間隔をＬ１（図３（ａ））とする。この間隔Ｌ１は、収容体５００の開口ＯＰ１の対応する位置の間隔、本実施例では、開口ＯＰ１の内径Ｒ３（図７（ａ））と、ほぼ等しい。このために、図１（ａ）に示すように、収容時の状態、すなわち、ホルダ２００が収容体５００の開口ＯＰ１を覆うように取り付けられたときに、図３（ａ）に示すように、第１の保持部２１０の外側面２１３と、第２の保持部２２０の外側面２２３とは、収容体５００の開口端５１５に沿って、収容空間ＲＭ内に配置され、側壁５１０の内面に当接する。この結果、収容時の状態のスタンド本体１００のホルダ２００は、収容体５００に対して、適切に固定される。
【００７０】
Ａ−３.  スタンド本体１００（ホルダ２００）の電気的構成
図８は、スタンド本体１００（ホルダ２００）の電気的構成を示すブロック図である。スタンド本体１００は、イヤホンジャック２９１と、スピーカシステム２９２と、マイクロＵＳＢコネクタ２９３と、装着検出タグ２９４と、ＵＳＢコネクタ２９５と、を備えている。イヤホンジャック２９１は、スマートフォンＳＦのイヤホンジャック（図示省略）とケーブルを介して接続されて、スマートフォンＳＦのイヤホンジャックから出力される音声信号を入力するためのコネクタである。スピーカシステム２９２は、アンプとスピーカとを含み、イヤホンジャック２９１を介して入力された音声信号に基づいて、音声信号によって示される音声を出力する。
【００７１】
マイクロＵＳＢコネクタ２９３は、スマートフォンＳＦのマイクロＵＳＢコネクタ（図示省略）とケーブルを介して接続される。ＵＳＢコネクタ２９５は、ケーブルを介して、電源端子、例えば、自動車のシガーソケットに接続される。スタンド本体１００は、ＵＳＢコネクタ２９５を介して入力される電力を、マイクロＵＳＢコネクタ２９３を介して、スマートフォンＳＦに供給する。これによって、スマートフォンＳＦのバッテリーの充電が可能となる。また、スタンド本体１００は、ＵＳＢコネクタ２９５を介して入力される電力を、スピーカシステム２９２が動作するための電力として、スピーカシステム２９２に供給する。
【００７２】
装着検出タグ２９４は、近距離無線通信、例えば、ＮＦＣ（Near Field Communicationの略）を用いて、スマートフォンＳＦと通信を行うタグである。例えば、スマートフォンＳＦは、装着検出タグ２９４を検出することによって、スマートフォンＳＦがホルダ２００に装着されたことを検出することができる。スマートフォンＳＦは、例えば、装着検出タグ２９４の検出をトリガーとして、特定のアプリケーションプラグラム（例えば、カーナビゲーションプログラム）を自動的に起動することができる。
【００７３】
以上説明した本実施例のスタンドユニット１０００のうち、スタンド本体１００は、使用時において、図５（ｂ）に示すように、スマートフォンＳＦを保持した状態で、例えば、自動車のインストルメントパネルの上面に、吸盤３６０によって固定される。スマートフォンＳＦは、例えば、カーナビゲーション装置や音楽プレーヤーとして、利用される。使用時おいて、図７（ｂ）の状態で仕切り部材４００を収容した収容体５００は、例えば、自動車のカップホルダーに載置されて、例えば、小物入れ、小銭入れ、カード入れとして利用される。また、スタンドユニット１０００は、収容時において、図１（ａ）に示すように、全体が１個の略円柱形状を有する状態とされるので、持ち運び等が便利である。例えば、カーシェアリングされる自動車やレンタカーなどで、スマートフォンＳＦを利用する際には、スマートフォンＳＦのスタンドも持ち運び等が便利であることが望まれる。このような場合に、本実施例のスタンドユニット１０００は、特に、便利で有用である。以下に、さらに、具体的に説明する。
【００７４】
本実施例のスタンドユニット１０００によれば、図１に示すように、収容時に、脚部３００は、収容体５００の収容空間ＲＭに収容される。そして、ホルダ２００は、脚部３００が収容空間ＲＭに収容された状態で、収容体５００の開口ＯＰ１を覆うように、収容体５００に取り付けられる。したがって、ホルダ２００で開口ＯＰ１を覆うようにスタンド本体１００を収容体５００に取り付けることで、スタンド本体１００の全体を適切に収容することができる。この結果、スタンド本体１００が、スタンドとして使用されていないときに発生し得る不都合を低減できる。スタンドとして使用されていないときに発生し得る不都合は、例えば、スタンドを構成する部品が適切に収容されずに、分離、散乱した状態であるために発生する部品の紛失や損傷、見栄えの悪さ、持ち運びの不便さなどが考えられる。本実施例によれば、このような不都合を抑制できる。
【００７５】
さらに、ホルダ２００の保持部２１０、２２０、２３０は、使用時には、スマートフォンＳＦを挟持する（図５）とともに、収容時には、収容体５００の開口端５１５に沿って配置される（図１）可動部である第１の保持部２１０と、第２の保持部２２０と、を備えている。この結果、ホルダ２００は、使用時には、スマートフォンＳＦを好適に保持できるとともに、収容時には、収容体５００の開口ＯＰ１を覆うように好適に取り付けられる。
【００７６】
さらに、第１の保持部２１０と、第２の保持部２２０とは、使用時にスマートフォンＳＦを挟持するための内側面２１２、２２２と、収容時に収容体５００の開口端５１５に沿って配置される外側面２１３、２２３と、をそれぞれ備える一対の可動部材である（図５）。そして、第１の保持部２１０と、第２の保持部２２０との可動範囲は、使用時の状態における位置と、収容時の状態における位置と、を含む範囲である。
【００７７】
使用時の状態における位置では、２個の保持部２１０、２２０のそれぞれの内側面２１２、２２２の間隔がスマートフォンＳＦの対応する位置の幅（具体的には、図５（ｂ）の横方向の幅Ｌ５）と対応する間隔Ｌ３（図５（ａ））であり、かつ、それぞれの外側面２１３、２２３の間隔が、収容体５００の開口の対応する位置の幅（具体的には、収容体５００の内径Ｒ３（図７（ａ）））より大きい間隔Ｌ４（図５（ａ））である。そして、収容時の状態における位置では、２個の保持部２１０、２２０のそれぞれの内側面２１２、２２２の間隔が、上述したスマートフォンＳＦの対応する位置の幅（図５（ｂ）の幅Ｌ５）より小さい間隔Ｌ２（図３（ａ））であり、かつ、それぞれの外側面２１３、２２３の間隔が、上述した収容体５００の開口の対応する位置の幅（図７（ａ）の内径Ｒ３）と対応する間隔Ｌ１（図３（ａ））である。この結果、ホルダ２００の一対の保持部２１０、２２０は、使用時には、スマートフォンＳＦの対応する位置を挟持できるとともに、収容時には、収容体５００の開口ＯＰ１に好適に取り付けることができる。この結果、ホルダは、使用時には、スマートフォンＳＦをより好適に保持できるとともに、収容時には、収容体５００の開口ＯＰ１を覆うように、より好適に取り付けられる。
【００７８】
さらに、収容時に、外側面２１３、２２３は、収容体５００の収容空間ＲＭを形成する内面に当接する。この結果、収容時には、ホルダ２００を、収容体５００の開口ＯＰ１の少なくとも一部を覆うように、簡単に固定することができる。
【００７９】
さらに、収容時には、ホルダ２００と脚部３００とは、使用時とは異なる形態で、互いに固定される（図２、図４、図５）。この結果、スタンド本体１００を収容体５００に適切に（具体的には、よりコンパクトに）収容することができる。
【００８０】
より具体的に説明すると、使用時には、ホルダ２００の保持部２１０、２２０、２３０が配置された側の反対側と、脚部３００の底面３５２側の反対側と、が固定される（図４、図５）。そして、収容時には、ホルダ２００の保持部２１０、２２０、２３０が配置された側と、脚部３００の底面３５２側と、が固定される（図２）。この結果、スタンド本体１００を収容体５００にコンパクトに収容し得る。
【００８１】
また、保持部２１０、２２０、２３０は、使用時に、スマートフォンＳＦを保持し（図５（ｂ））、収容時に、脚部３００の底面３５２側の部分を保持する（図２（ａ））。この結果、保持部２１０、２２０、２３０によって、使用時には、スマートフォンＳＦを適切に保持できるとともに、収容時には、ホルダ２００と脚部３００とを適切に固定することができる。また、収容時に、使用時とは異なる形態でホルダ２００と脚部３００とを固定するための専用の部材を設ける必要がないので、部品点数を削減できる。
【００８２】
さらに、スタンドユニット１０００は、携帯可能な収容体５００を備えるので、ユーザは、収容体５００ごとスタンド全体を持ち運べるので便利である。
【００８３】
さらに、収容体５００は、収容時に、下側の位置（図７（ｃ））に仕切り部材を保持し、使用時に、下側の位置より開口ＯＰ１に近い上側の位置（図７（ｂ））に仕切り部材４００を保持する保持機構としての半円柱部５２０を備えている。この結果、使用時に、仕切り部材４００によって形成される複数個の収容部を、開口ＯＰ１に比較的近い位置に保持できるので、これらの収容部への物の出し入れがしやすくなる。また、収容時には、開口ＯＰ１の近傍に、スタンド本体１００を収容する空間を確保できるので、スタンド本体１００を適切に収容体５００に収容することができる。
【００８４】
以上の説明から解るように、保持部２１０、２２０の使用時の状態における位置は、第１の位置の例であり、保持部２１０、２２０の収容時の状態における位置は、第２の位置の例である。また、収容体５００に対する仕切り部材４００の下側の位置（図７（ｃ））は、特定の位置の例である。
【００８５】
Ｂ．変形例
（１）上記実施例では、収容時において、脚部３００が収容体５００の収容空間ＲＭに収容され、ホルダ２００が開口ＯＰ１を覆うように、収容体５００に取り付けられている。これに代えて、ホルダが収容体の収容空間に収容され、脚部が収容体の開口を覆うように、収容体に取り付けられても良い。この場合には、例えば、図２の脚部３００の台座３５０の外径が、ホルダ２００のホルダ本体２５０の外径より大きくされ、収容体５００の内径が台座３５０の外径の外径とほぼ同じとされる。そして、収容体５００の収容空間ＲＭに、ホルダ２００を収容した後に、脚部３００の底面３５２側を外側に向け、脚部３００のアーム３２０側を収容空間ＲＭ側に向けた状態で、脚部３００の台座３５０が、収容体５００の開口ＯＰ１を覆うように、収容体５００に取り付けられても良い。
【００８６】
（２）上記実施例では、収容時において、ホルダ２００が、収容体５００の開口ＯＰ１の全体を覆うように、蓋として取り付けられる。これに代えて、ホルダ２００や脚部３００によって、収容体５００の開口ＯＰ１の全体が覆われるのではなく、開口ＯＰ１の一部が覆われていても良い。例えば、ホルダ２００に孔が開いていたり、ホルダ２００が略半円形状であることによって、開口ＯＰ１の一部のみが覆われていても良い。
【００８７】
（３）上記実施例では、収容時の状態（図１（ａ））において、保持部２１０、２２０、２３０の外側面２１３、２２３、２３３は、収容体５００の側壁５１０の内周面に当接しており、これによって、ホルダ２００が収容体５００に固定されている。これに代えて、保持部２１０、２２０、２３０の外側面２１３、２２３、２３３は、収容体５００の側壁５１０の内周面に当接していなくても良い。例えば、保持部２１０、２２０、２３０の外側面２１３、２２３、２３３は、収容体５００の側壁５１０の内周面とは隙間を空けて、開口端５１５に沿って配置されていても良い。この場合には、収容時の状態において、ホルダ２００と収容体５００とを固定する他の部材を設けてもよい。例えば、収容体５００の開口端５１５から第２方向Ｄ２に延びるフックを、収容体５００に設け、ホルダ本体２５０の側面２５３に孔を設けて、該フックが孔に係合することによって、収容体５００とホルダ２００とが固定されても良い。
【００８８】
（４）上記実施例では、収容時の状態において、保持部２１０、２２０、２３０の外側面２１３、２２３、２３３は、面で、収容体５００の内周面に当接している。これに代えて、例えば、保持部２１０、２２０、２３０の外側の部分に、例えば、複数個の略半円状の複数個の粒状体を設けて、当該複数個の粒状体のそれぞれが、点で収容体５００の内周面に当接してもよい。同様に、使用時の状態において、保持部２１０、２２０、２３０の内側面２１２、２２２、２３２は、面で、スマートフォンＳＦを保持しているが、これに代えて、例えば、保持部２１０、２２０、２３０の内側の部分は、複数個の点でスマートフォンＳＦを保持しても良い。
【００８９】
（５）上記実施例では、使用時の状態における内側面２１２、２２２の間隔Ｌ３（図５（ａ））は、スマートフォンＳＦの対応する位置の幅Ｌ５と等しい。間隔Ｌ３は、スマートフォンＳＦの対応する位置の幅Ｌ５と異なっていても良く、スマートフォンＳＦの対応する位置の幅Ｌ５に対応する間隔であれば良い。例えば、間隔Ｌ３は、実施例のように、幅Ｌ５と等しくても良く、例えば、幅Ｌ５より僅かに小さくても良く、幅Ｌ５より僅かに大きくても良い。例えば、保持部２１０、２２０が、可撓性や弾性を有する材料で形成されている場合には、間隔Ｌ３は、幅Ｌ５より僅かに小さくされて、当該間隔Ｌ３を押し広げるように、スマートフォンＳＦが取り付けられることで、保持部２１０、２２０によってスマートフォンＳＦが保持されても良い。あるいは、間隔Ｌ３は、幅Ｌ５より僅かに大きくされて、多少のがたつきがある状態で、保持部２１０、２２０によってスマートフォンＳＦが保持されても良い。
【００９０】
収容時の状態における外側面２１３、２２３の間隔Ｌ１についても同様である。上記実施例では、収容時の状態における外側面２１３、２２３の間隔Ｌ１は、収容体５００の開口ＯＰ１の対応する位置の幅（すなわち、収容体５００の内径Ｒ３）と等しい。これに限らず、間隔Ｌ１は、開口ＯＰ１の対応する位置の幅より僅かに小さくても良く、僅かに大きくても良い。一般的に言えば、間隔Ｌ１は、収容体５００の開口ＯＰ１の対応する位置の幅に対応する間隔であれば良い。
【００９１】
（６）上記実施例では、使用時にスマートフォンＳＦを保持する保持部２１０、２２０、２３０が、収容時に脚部３００を保持している（図２）。これに代えて、使用時にスマートフォンＳＦを保持する保持部とは別に、収容時に脚部３００をホルダ２００に対して固定する構造を備えても良い。例えば、ホルダ本体２５０の第１面２５１側、あるいは、第２面２５２面に、脚部３００のアーム３２０が接続される孔やフックが形成されていても良い。
【００９２】
（７）上記実施例では、スタンドユニット１０００は、収容体５００と仕切り部材４００とを備えている。これに代えて、仕切り部材４００はなくても良い。また、収容体５００と仕切り部材４００との両方が無くても良い。この場合には、例えば、スタンド本体１００は、上述した収容体５００の開口ＯＰ１に取り付けられる場合と同様の態様で、収容時には、自動車のカップホルダーの開口に対して取り付けられても良い。すなわち、脚部３００が自動車のカップホルダー内の収容空間に収容された状態で、カップホルダーの開口を覆うように、ホルダ２００がカップホルダーに取り付けられても良い。このような場合であっても、スタンドを構成する部品の散乱や紛失、見栄えの悪さなど、スタンドとして使用されていないときに発生し得る不都合を抑制することができる。
【００９３】
（８）上記実施例では、スタンド本体１００は、スマートフォンＳＦを保持するスタンドである。スタンド本体１００に保持される機器は、スマートフォンＳＦに限らず、携帯型のカーナビゲーション装置や音楽プレーヤーなどの他の携帯型電子機器であっても良い。
【００９４】
（９）上記実施例において、仕切り部材４００を、下側の位置（図７（ｃ））と上側の位置（図７（ａ））とに保持する保持機構（図７）は、一例であり、これに限られない。例えば、収容体５００の底板５３０の第２方向Ｄ２を向いた面と、仕切り部材４００の底板４２０の第１方向Ｄ１を向いた面と、の間に、軸線方向に伸縮するバネ部材を介在させても良い。この場合には、例えば、収容時には、仕切り部材４００がスタンド本体１００によって第１方向Ｄ１に押下されることによって、仕切り部材４００は下側の位置に保持され、使用時には、スタンド本体１００が取り外されることによって、仕切り部材４００は、上側の位置に保持される。
【００９５】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００９６】
１００...スタンド本体、２００...ホルダ、２１０、２２０、２３０...保持部、２１２、２２２、２３２...内側面、２１３、２２３、２３３...外側面、２５０...ホルダ本体、２５３...側面、２５５、２５６、２５７...凹部、２５５ｓ...底面、２５６ａ、２５６ｂ...溝部、２６０、２７０...スライド板、２６１、２６２...凸部、２９１...イヤホンジャック、２９２...スピーカシステム、２９４...装着検出タグ、３００...脚部、３１０...結合端部、３１１、３１２...板部、３１３...接続部、３２０...アーム、３５０...台座、３５２...底面、３６０...吸盤、４００...仕切り部材、４１０...半円筒部、４１１...第１側壁、４１２...第２側壁、４１３...カード収容部、４１３ａ...開口、４２０...底板、４２１...第１部分、４２２...第２部分、４２３...切り欠き、４３０...皿部、４３１...凹部、４３３...切り欠き、５００...収容体、５１０...側壁、５１５...開口部、５１５...開口端、５１５...端部、５２０...半円柱部、５２１...支持面、５３０...底板、１０００...スタンドユニット、２９３...マイクロＵＳＢコネクタ、２９５...ＵＳＢコネクタ、ＳＦ...スマートフォン、ＲＭ...収容空間、ＯＰ２、ＯＰ１...開口
【図１】
2017079394.tif 000003
【図２】
2017079394.tif 000004
【図３】
2017079394.tif 000005
【図４】
2017079394.tif 000006
【図５】
2017079394.tif 000007
【図６】
2017079394.tif 000008
【図７】
2017079394.tif 000009
【図８】
2017079394.tif 000010